(57)【要約】      （修正有）【課題】枕の乾燥と形状変更のやりやすさと柔らかさとを得ることができる枕を提供する。【解決手段】第１詰物２が軟質又は硬質な材料からなる中空体又は粒状により構成され、第２詰物３が繊維の絡み合った繊維ブロック又は柔軟性のある発泡体により構成され、これらの第１詰物２と第２詰物３とが袋１に充填され、充填された第１詰物２と第２詰物３とが袋１から出ないように、袋１が封じられて、枕が構成される。第１詰物２の軟質な材料は高分子材料又は繊維又は軟質木材であり、第１詰物２の硬質な材料は硬質木材又は鉱石であっても適用可能である。又、第１詰物２と第２詰物３との容積比が第１詰物２対第２詰物３として１対１又は２０対８０乃至８０対２０の範囲であれば適用可能である。【選択図】図１
0003189059.tif 000002
【実用新案登録請求の範囲】
【請求項１】
第１詰物と第２詰物とが袋に充填された枕であって、第１詰物が軟質又は硬質な材料からなる中空体又は粒状により構成され、第２詰物が繊維の絡み合った繊維ブロック又は柔軟性のある発泡体により構成されたことを特徴とする枕。
【請求項２】
第１詰物の軟質な材料は高分子材料又は繊維又は軟質木材であり、第１詰物の硬質な材料は硬質木材又は鉱石であることを特徴とする請求項１記載の枕。
【請求項３】
第１詰物と第２詰物との容積比が第１詰物対第２詰物として１対１又は２０対８０乃至８０対２０の範囲であることを特徴とする請求項１記載の枕。
【請求項４】
第１詰物が軟質な合成樹脂からなる筒状の中空体からなる構造であるか、又は、軟質な合成樹脂からなる筒状の中空体の内部に複数本の支持片を放射状に設けた構造であることを特徴とする請求項１記載の枕。
【考案の詳細な説明】
【技術分野】
【０００１】
本考案は、枕に関する。
【背景技術】
【０００２】
特許文献１に開示された枕のように、袋の中に充填する詰物が軟質性熱可塑性合成樹脂材又は軟質性ゴム材からなる筒状の中空体の内部に複数本の支持片を放射状に設けて洗濯時の脱水が良くなるように中空体の形状を維持するように構成されたものがある。又、市販品の枕には、繊維の絡み合った繊維ブロックを詰物として用いたものも存在する。しかしながら、特許文献１の詰物のみだと触感がかためになり、繊維ブロックのみだと形状変更がしにくいといった欠点がある。
【先行技術文献】
【特許文献】
【０００３】
【特許文献１】実用新案登録第３１５７０３５号公報
【考案の概要】
【考案が解決しようとする課題】
【０００４】
本考案は、上記背景技術に鑑みてなされたものであり、枕の乾燥と形状変更のやりやすさと柔らかさを得ることを目的とする。
【課題を解決するための手段】
【０００５】
本考案は、第１詰物と第２詰物とが袋に充填された枕であって、第１詰物が軟質又は硬質な材料からなる中空体又は粒状により構成され、第２詰物が繊維の絡み合った繊維ブロック又は柔軟性のある発泡体により構成されたことを特徴とする。
【考案の効果】
【０００６】
本考案は、軟質又は硬質な材料からなる中空体又は粒状の第１詰物と繊維の絡み合った繊維ブロック又は柔軟性のある発泡体の第２詰物とにより、枕を洗濯した時の乾燥性が良く、個人の体型、寝姿勢、体調、気温等によって異なる枕の最適な高さに調整でき、枕の乾燥と形状変更のやりやすさと柔らかさを得ることができる。本考案にあっては、第１詰物の軟質な材料は高分子材料又は繊維又は軟質木材であり、第１詰物の硬質な材料は硬質木材又は鉱石であれば、硬さを強調できる効果がある。本考案にあっては、第１詰物と第２詰物との容積比が第１詰物対第２詰物として２０対８０乃至８０対２０の範囲であれば、第１詰物の弾性によるしっかり感と、第２詰物としての繊維ブロック又は発泡体の弾性による柔らかさ感とから、初期接触の触感及び安定保持が一層良く、第１詰物と第２詰物とが自由に動き好みの高さに調整でき、洗濯時の乾燥も良くなる効果がある。第１詰物が軟質な合成樹脂からなる筒状の中空体からなる構造であるか、又は、軟質な合成樹脂からなる筒状の中空体の内部に複数本の支持片を放射状に設けた構造であれば、第１詰物の弾力性及び変形時の復元性が向上する効果がある。
【図面の簡単な説明】
【０００７】
【図１】考案を実施するための形態に係る枕を示す斜視図。
【図２】考案を実施するための形態に係る枕の第１詰物と第２詰物との諸元を示し図表。
【図３】Ａ図乃至Ｇ図は考案を実施するための形態に係る第１詰物の形状を示す平面図。
【考案を実施するための形態】
【０００８】
図１を参照し、考案を実施するための形態に係る枕について説明する。図１において、１は袋、２は第１詰物、３は第２詰物を示す。第１詰物２と第２詰物３とが袋１に充填され、充填された第１詰物２と第２詰物３とが袋１から出ないように、袋１が封じられて、枕が構成される。つまり、袋１は第１詰物２と第２詰物３とを充填して封じられた枕の外装体を構成する。
【０００９】
第１詰物２は、軟質又は硬質な材料からなる中空体又は粒状により構成される、例えば、第１詰物２は、図３のＡ図に示すように、軟質な合成樹脂からなる筒状の中空体２１の内部に３本の支持片２２を放射状に設けた構造である。第１詰物２の中空体２２は、筒状の中心線の延びる方向に位置する両端が開口した形状に構成される。第２詰物３は、繊維の絡み合った繊維ブロック又は柔軟性のある発泡体により構成される。発泡体の場合は、連続気泡又は独立気泡の発泡体のいずれでも、繊維ブロックと同等の効果がある。発泡体の材質はウレタンフォーム、ポリエチレンフォーム等が考えられる。
【００１０】
図２を参照し、第１詰物２、第２詰物３の具体例について説明する。試作品について説明すると、容積比が第１詰物２対第２詰物３＝１対１である。第１詰物２は、材料がオレフィン系エラストマーのＪＩＳ−Ａ硬度６０度、形状がΦ８ｍｍ×１５ｍｍ、ｔ＝０．２５ｍｍの円筒で、０．２ｍｍの支持片である。上記Φは円筒の外直径、ｔは中空体の厚みである。第２詰物３は、１５ｍｍ×１５ｍｍ×１５ｍｍ、目付量３４０ｇ／ｍ２の立方体の塊、又は、１５ｍｍ×１５ｍｍ×１０ｍｍ、目付量が２３０ｇ／ｍ２の直方体の塊である。
【００１１】
以上の構成により、考案を実施するための形態に係る枕によれば、第１詰物２の弾性によるしっかり感と、第２詰物３としての繊維ブロック又は発泡体の弾性による柔らかさ感とから、初期接触の触感及び安定保持が良く、第１詰物２と第２詰物３とが自由に動き好みの高さに調整でき、洗濯時の乾燥も良くなり、枕の乾燥と形状変更のやりやすさと柔らかさを得ることができる。
【００１２】
又、望ましい範囲について説明すると、容積比が第１詰物対第２詰物＝４０対６０乃至６０対４０である。第１詰物２は、材料がオレフィン系エラストマーのＪＩＳ−Ａ硬度４０乃至７０度、形状がΦ５ｍｍ乃至１５ｍｍ×５乃至２０ｍｍ、ｔ＝０．１乃至１ｍｍの円筒である。上記Φは円筒の外直径、ｔは中空体の壁の厚みである。第２詰物３は、５乃至１５ｍｍ×５乃至１５ｍｍ×５乃至１５ｍｍ、目付量が１００乃至５００ｇ／ｍ２の直方体の塊である。
【００１３】
実施可能な範囲について説明すると、容積比が第１詰物対第２詰物＝２０対８０乃至８０対２０である。第１詰物２は、材料が高分子材料、木材、繊維、鉱石等の軟質乃至硬質、形状がΦ２乃至２０ｍｍ×２乃至６０ｍｍ、ｔ＝０．０５乃至５ｍｍの円筒、又は、２ｍｍ×２０ｍｍ×２乃至６０ｍｍ、ｔ＝０．０５乃至５ｍｍの角筒である。Φは円筒の外直径、ｔは円筒又は角筒の壁の厚みである。第２詰物３は、３乃至６０ｍｍ×３乃至６０ｍｍ×３乃至６０ｍｍ、目付量が５０乃至２０００ｇ／ｍ２の直方体の塊である。
【００１４】
尚、第２詰物３は、直方体以外の多角柱、多角錐、円柱、円錐、星形、ドーナツ形等形状でも適用可能である。
【００１５】
図３を参照し、第１詰物２の各種形状について説明する。図３のＡ図では、第１詰物２が軟質合成樹脂からなり、円筒な中空体２１の内部に３本の支持片２２を放射状に設けた構成である。３本の支持片２２は中空体２１の内部の中心部から放射状に延びて中空体２１の内壁面につながった構成である。これにより、弾力性及び変形時の復元性を有する。又、３本の支持片２２により、使用時に中空体２１が単純に潰れて扁平になることを抑制できるので、クッション性が維持され弾力性及び復元性に対して効果を発揮し、使用時の通気性も優れる。
【００１６】
図３のＢ図では、第１詰物２が軟質合成樹脂からなり、円筒な中空体２１の内部に設けられた３本の支持片２２の集合する中心部２３が支持片２２の厚さよりも太い棒状になった構成である。太い中心部２３が設けられたことにより、支持片２２の成形も安定して得られる。
【００１７】
図３のＣ図では、第１詰物２が軟質合成樹脂からなり、円筒な中空体２１の内部に設けられた支持片２２が５本になり、支持片２２による中空体２１の形状を保持する性能が優れる。
【００１８】
図３のＤ図では、円筒な中空体２１の内部に設けられた支持片２２が４本で、その４本の支持片２２が中空体２１の内壁面を周方向に４等分した位置から中空体２１の中心部の側に延びており、その先端に弧状なる板状の補助部２４が互いに離れた状態で環状を形成するように設けられたことにより、中空体２１が使用時に平たく潰れ難くし、クッション性を高める構成である。補助部２４は省略しても適用可能である。又補助部２４が互いに連結された構成でも適用可能である。
【００１９】
図３のＥ図では、第１詰物２が軟質合成樹脂からなり、３本の支持片２２が集合する部分から円筒な中空体２１の内壁面にかけて曲面になり、支持片２２が弾性変形時に徐々に変形し弾性復元時にも徐々に復元し、円筒な中空体２１が滑らかな弾性を発揮できる。
【００２０】
図３のＦ図では、３本の支持片２２が集合する部分から円筒な中空体２１の内壁面にかけて蛇行する曲面になり、支持片２２がどちらの方向にも徐々変形できる。支持片２２の蛇行する曲面は、例えばＶ字形状、Ｚ字形状等の直線的に曲がった形状でも同様に適用可能である。
【００２１】
図３のＧ図では、第１詰物２が円筒な中空体２１で構成されている。つまり、図３のＡ図乃至Ｆ図の支持片２２の無い中空体２１だけの構成である。
【００２２】
尚、支持片２２の本数は上記数値以外の数値でも良い。つまり、支持片２２が複数本であれば適用可能である。
【符号の説明】
【００２３】
１は袋、２は第１詰物、３は第２詰物、４乃至２０は欠番、２１は中空体、２２は支持片、２３は中心部、２４は補助部。
【図１】
0003189059.tif 000003
【図２】
0003189059.tif 000004
【図３】
0003189059.tif 000005